(57)【要約】【目的】本発明は、ガスハース方式の加熱曲げ炉内で浮上するガラス板を支持する支持金具の搬送チェーンへの着脱構造に関する。【構成】エアテーブル上で浮上するガラス板のエッジに当接させてガラス板を支持しながら加熱炉内を搬送するための支持金具と、加熱炉内に設けた搬送チェーンの各リンクの軸部を延長するように設けた延長ピンとの着脱構造において、前記延長ピンの先端部に水平方向に設けた凹溝部を、支持金具の断面コ字状の係止部材内に水平方向に固定した割りピンと遊嵌させ、支持金具が延長ピンから抜け落ちないように、延長ピンの先端に設けた抜け止バネによって前記凹溝部内を狭めるように配置し、支持金具の着脱時には割ピンで抜け止バネを押し下げて支持金具の取外しを可能としたことを特徴とするガラス板搬送用支持金具の着脱構造。【選択図】  図１
2007055827.tif 000002
【特許請求の範囲】
【請求項１】
エアテーブル上で浮上するガラス板のエッジに当接させてガラス板を支持しながら加熱炉内を搬送するための支持金具と、加熱炉内に設けた搬送チェーンの各リンクの軸部を延長するように設けた延長ピンとの着脱構造において、
前記延長ピンの先端部に水平方向に設けた凹溝部を、支持金具の断面コ字状の係止部材内に水平方向に固定した割りピンと遊嵌させ、支持金具が延長ピンから抜け落ちないように、延長ピンの先端に設けた抜け止バネによって前記凹溝部内を狭めるように配置し、支持金具の着脱時には割ピンで抜け止バネを押し下げて支持金具の取外しを可能としたことを特徴とするガラス板搬送用支持金具の着脱構造。
【請求項２】
前記凹溝部によって上下に分離した延長ピンの先端部分の片方の長さを短くするとともに、凹溝部の開口側先端ほど幅広にして、凹溝部内に支持金具の割ピンを遊嵌容易としたことを特徴とする請求項１記載のガラス板搬送用支持金具の着脱構造。
【請求項３】
前記延長ピンの先端部分に設けた凹溝部と直交する片側方向にスリットを設け、前記抜け止バネが前記割りピンによって押し下げられた時に、該バネが該スリット内に退避できるようにしたことを特徴とする請求項１または２記載のガラス板搬送用支持金具の着脱構造。
【発明の詳細な説明】
【技術分野】
【０００１】
本発明は、ガスハース方式の加熱曲げ炉内で浮上するガラス板を支持する支持金具の搬送チェーンへの着脱構造に関する。
【背景技術】
【０００２】
従来より、自動車用の窓ガラスなどに使用される湾曲ガラス板は、型枠上に載置された板ガラスを加熱軟化し、自重により垂下させて曲げる自重曲げ方式や、曲げ型を使用して加熱軟化した板ガラスをその両面からプレスして曲げるプレス曲げ方式、ハースベッドから噴出される高温ガスにより、ガラス板を浮揚移動させながら曲げるガスハース曲げ方式、板ガラスを搬送ロールによって搬送しながら搬送ロールの形状に倣って曲げるローラハース曲げ方式などにより、曲げ成形されており、ガラス板の大きさ、湾曲形状、湾曲深さ等によって適宜使い分けされている。
【０００３】
これらのガラス板の曲げ加熱方式のうち、ガスハース曲げ炉と呼ばれる方式は、耐火製のハースベッドの上面に無数の小孔を設け、該小孔より圧縮エアまたはガスを噴出させることによってガラス板を浮上させながら搬送させるものであるが、安定した姿勢で搬送させる為に、ガラス板の搬送方向に直交するハースベッドの片側方向に僅かに傾斜させて、浮上するガラス板を傾斜面の下方側に移動させ、ガラス板の下端辺の複数箇所と、搬送方向の上流側辺、下流側辺にガラス板の形状に合わせて支持金具を当接させることによってガラス板の姿勢を一定に維持して搬送し、加熱炉内に搬送する方式である。
【０００４】
図７に示されるように、前記ガラス板の下端辺および側辺を支持する支持金具１０は、曲げ炉全体をループ状に張設した一本の搬送チェーン２の各リンクの各軸部を延長するように取り付けられた延長ピン３の先端に固定されるが、１枚のガラス板１を支持するのに通常２〜４個の異なった形状の支持金具１０、１０、・・を１セットとして用い、搬送チェーン２全体として加熱曲げ炉の長さに応じた複数セットの支持金具が取り付けられている。
【０００５】
これらの支持金具の先端部は、緩やかな斜め姿勢で浮上しているガラス板の下端辺に当接させ、必要に応じて搬送方向の上流側、下流側の各辺に当接させることによって、曲げ炉内のガラス板を所望の一定姿勢で搬送するものであるため、曲げ強化するガラス板の寸法や外形形状を変更する場合には、搬送チェーン上の支持金具の取付位置、および搬送チェーンからガラス板端面までの距離、ガラス板との当接角度等を調節する必要があり、品種替え時にガラス板の形状に合わせた支持金具への交換が作業者によって行なわれていた。
【０００６】
前記搬送チェーンに支持金具を取付け交換する作業を効率良く行なうことを目的とした出願として、例えば、特開２００５−１８７２１７号公報には、駆動源に取り付けられたホルダ部と、このホルダ部の先端部にピンを介して揺動自在に連結されるとともにガラス板の縁部を支持するヘッド部とからなり、湾曲したガラス搬送面上に載置されたガラス板を搬送するためのガラス板搬送冶具において、
前記ホルダ部と前記ヘッド部とは、ホルダ部の先端部に形成されたピン孔とヘッド部に形成されたピン孔とを一致させて双方のピン孔に前記ピンを嵌合させることにより連結され、前記ホルダ部又は前記ヘッド部には、前記双方のピン孔を一致させるための位置決め部が形成されていることを特徴とするガラス板搬送冶具が開示されている（特許文献１）。
【０００７】
また、実願昭５１−３４０８６号（実開昭５２−１２７０４１号）のマイクロフイルムには、ガス炉に沿って設けられた搬送手段と該搬送手段の前記ガス炉側に装着されたピンと、該ピンに着脱自在に装着されたガラス板支持金具とを有するガス炉法強化設備におけるガラス板搬送装置において、上記ピンには嵌合溝を設けると共にガラス板支持金具には上記ピンの挿入部と上記ピンの嵌合溝に嵌めこませて係止させる止め金具とを設けてなるガス炉法強化装置におけるガラス板搬送装置が開示されている（特許文献２）。
【特許文献１】特開２００５−１８７２１７公報
【特許文献２】実願昭５１−３４０８６号（実開昭５２−１２７０４１号）のマイクロフイルム
【発明の開示】
【発明が解決しようとする課題】
【０００８】
従来使用していたガスハース炉におけるガラス板の支持金具はガラス板の形状にあわせて多数の種類が存在し、製造するガラス板の寸法あるいは形状の変更、いわゆる生産品種替え時にはそれまで使用していた支持金具を取外し、変更後のガラス板形状に合わせた支持金具の取付への交換作業や、支持金具を取り付け固定する延長ピンの取付角度をガラス板の多様な形状にフィットできるように調整しなければならず、しかもこれらの作業を搬送チェーンの全長にわたって行なわなければならないため、段取り作業に多大な時間を必要としていた。
【０００９】
また、前記特許文献１に記載のものは、チェーンピン（ホルダ部）に連結したヘッド部の交換作業を行なうにあたり、まず、チェーンピン（ホルダ部）とヘッド部を連結しているＬピンを引き抜いてヘッド部をチェーンピンを分離して取外した後、続いて、新たに取り付けようとするヘッド部に形成されたピン孔とチェーンピンの先端部に形成されたピン孔の両ピン孔を一致させた状態にして、双方のピン孔に前記Ｌピンを挿入して連結させなければならないという手間がかかり、オンライン中の移動している搬送チェーンの移動のタイミングに合わせてこれらの作業を行なうには、交換作業時間が不足し、段取り替え時間の短縮には限度があった。
【００１０】
また、前記特許文献２に記載のものは、ピン１６を支持金具に取り付けるに当り、支持金具１５の止め金具１７の屈曲部１９と、ピン１６に設けた嵌合溝１８とを嵌合させることによってワンタッチで着脱できるようにしたものであるが、ピンの嵌合溝１８との着脱に際し、止め金具１７を上下または左右に移動してから支持金具とピンの着脱を行なわなければならないという問題点があった。
【課題を解決するための手段】
【００１１】
本発明はこのような点に鑑みてなされたものであり、ガラス板を支持搬送させる支持金具の搬送チェーンを構成する各リンクの軸部への着脱を迅速かつ容易とし、ガラス板の生産品種替え時の段取り調整時間を短縮して、生産停止となる時間を減少させることを目的とする。
【００１２】
すなわち、本発明は、エアテーブル上で浮上するガラス板のエッジに当接させてガラス板を支持しながら加熱炉内を搬送するための支持金具と、加熱炉内に設けた搬送チェーンの各リンクの軸部を延長するように設けた延長ピンとの着脱構造において、
前記延長ピンの先端部に水平方向に設けた凹溝部を、支持金具の断面コ字状の係止部材内に水平方向に固定した割りピンと遊嵌させ、支持金具が延長ピンから抜け落ちないように、延長ピンの先端に設けた抜け止バネによって前記凹溝部内を狭めるように配置し、支持金具の着脱時には割ピンで抜け止バネを押し下げて支持金具の取外しを可能としたことを特徴とするガラス板搬送用支持金具の着脱構造である。
【００１３】
あるいは、本発明は、前記凹溝部によって上下に分離した延長ピンの先端部分の片方の長さを短くするとともに、凹溝部の開口側先端ほど幅広にして、凹溝部内に支持金具の割ピンを遊嵌容易としたことを特徴とする上述のガラス板搬送用支持金具の着脱構造である。
【００１４】
あるいはまた、本発明は、前記延長ピンの先端部分に設けた凹溝部と直交する片側方向にスリットを設け、前記抜け止バネが前記割りピンによって押し下げられた時に、該バネが該スリット内に退避できるようにしたことを特徴とする上述のガラス板搬送用支持金具の着脱構造である。
【発明の効果】
【００１５】
本発明の着脱構造により、搬送チェーンの各リンクの軸部に設けた延長ピンに支持金具を押し込むだけで支持金具をワンタッチで装着でき、あるいは延長ピンから支持金具を引っ張るだけのワンタッチで支持金具を取外しでき、品種替え時の段取り替えの全支持金具の取付け時間を大幅に短縮でき、迅速化できるようになり、また取付け作業も容易化となった。
【発明を実施するための最良の形態】
【００１６】
図１〜図４に示すように、本発明で使用するガラス板の支持金具１０は、金属製のプレート１５の略中央部に断面コ字状の係止部材１１を固着して、該係止部材１１の両側壁部の中央部に設けた両穿孔部１４、１４を跨るように、前記両穿孔部１４、１４内に割ピン１２を挿入し固定する。
【００１７】
また、加熱炉内の片側側壁に沿って設けた搬送チェーン２の各リンク軸２ｃを延長するように延長ピン３を設け、その先端部を上下に２分割したように水平方向に凹溝部３ａを設け、該凹溝部３ａによって上下に分割した先端部分の上方の長さを短くするとともに、凹溝部３ａ内の開口部内を先端ほど溝幅を広く開けてある。
【００１８】
さらに、延長ピン３の先端の凹溝部３ａ内には該凹溝部３ａの開口部を狭めたり広げたりする抜け止バネ７を配置し、支持金具１０の割ピン１２を前記延長ピン３の凹溝部３ａ内に嵌合時に、図５に示したように、割ピン１２で抜け止バネ７を押し下げて凹溝部３ａの先端開口部分を広げ、図６に示したように、割ピン１２が凹溝部３ａ内の最奥部に到達した時点で抜け止バネ７の復元力によって凹溝部３ａの開口部を狭め、割ピン１２は抜け止バネ７によってロックされる。
【００１９】
また、図１に示したように、前記延長ピン３の先端部の凹溝部３ａによって分離した先端部の片方に、前記凹溝方向と直交する方向にスリット４を設け、前記抜け止バネ７が前記割りピン１２によって押し下げられた時に、該抜け止バネ７が該スリット４内に退避できるようになっている。
【００２０】
また、前記延長ピン３に設けた抜け止バネ７は、延長ピン３の途中部に設けたバネ固定用穴に一端が挿入された状態で、断面形状がＣ字状の円筒形状のバネ固定ピン８を押し込むことにより固定されている。
【００２１】
さらにまた、延長ピン３の外形形状は丸棒状であるが、該延長ピン３の先端部の形状が先細のテーパ−状になっており、前記係止部材１１内への延長ピン３の差込結合を容易としている。
【００２２】
さらに、前記コ字状の係止部材１１の上面部中央には開口穴１３が設けられ、該開口穴１３を通じて割ピン１２と凹溝部３ａとの嵌合状態を視認しながら行なうことができ、凹溝部３ａに割ピン１２をスムーズに嵌合させるのが容易となる。
【００２３】
さらに、搬送チェーン２は、図２に示すように内リンク２ｂと外リンク２ａからなり、リンク軸２ｃを１本づつずらして連結した構造であり、延長ピン３は、３本目のリンク軸２ｃ毎に延長するように設けられている。
【００２４】
本発明である支持金具１０と延長ピン３との着脱構造について作用及び、着脱方法について記載する。
【００２５】
延長ピン３の凹溝部３ａ内に支持金具１０の割ピン１２を装着する時は、割ピン１２が該凹溝部３ａの先端開口部を塞ぐように設けられた線条の抜け止バネ７を図５に示すように押し下げて凹溝部３ａ内に割ピン１２を嵌合させ、割ピン１２が抜け止バネ７による狭隘部分を通り越して最深部に到達して装着が完了すると、図６に示すように線条の抜け止バネ７の復元力によって、凹溝部３ａの開口部は再び抜け止バネ７によって狭隘状態となる。
【００２６】
前記抜け止バネ７は、前記凹溝部３ａの先端開口部の外側と凹溝部３ａの内部間を、割りピン１２が移動通過する時に、一例として図５、図６に示すようなへの字形状部を有した抜け止バネ７を押し広げ、割ピンが通過後に抜け止バネ７が復帰するような機能、すなわち抜け止バネ７がバネ作用やバネ機能を有するような形状であれば良い。
【００２７】
また、延長ピン３の凹溝部３ａ内に装着された支持金具１０を取り外す時は、支持金具１０を延長ピン３から引き離すように引き抜くことにより、割ピン１２が該凹溝部３ａの先端開口部に設けられた線条の抜け止バネ７を押し下げて凹溝部の開口幅を広げて狭隘部を通り過ぎて取外しが完了すると、前記抜け止バネ７の復元力によって、凹溝部３ａの開口部は再び抜け止バネ７によって狭隘状態となる。
【００２８】
このように、支持金具１０の延長ピン３への着脱は装着時も取外し時もワンタッチで行なうことができる。
【００２９】
また、延長ピン３の先端部を凹溝部３ａを境界として上下に２分割させ、該凹溝部３ａより上方部分の長さを短くし、下方部分を長くしたのは、長さの長い下方側の先端部分と長さの短い上方側の先端部分間に凹溝部の開口部が存在することが作業者に明白に視認できる為、長さの長い下方側の先端部分と長さの短い上方側の先端部分間に割ピン１２を配置すれば、凹溝部３ａ内への割ピン１２の嵌合が容易となる。
【００３０】
また、凹溝部３ａ内の開口部間隔を先端ほど広げておけば、開口穴から割ピン１２と凹溝部３ａを目視確認しながら、凹溝部３ａ内に割りピン１２を挿入するときに、凹溝部３ａと割ピン１２との嵌合が容易となる。
【００３１】
前記支持金具１０、割ピン１２、延長ピン３の材質としては、耐熱性があり、かつ錆びない材質として、ＳＵＳ３０４、ＳＵＳ３１０等のこれに準ずるステンレス鋼を用いればよい。
【００３２】
さらに、抜け止バネ７は、耐熱性、錆びない材質、及びバネ機能を有する材質として、ＳＵＳ３０４、ＳＵＳ６３１、およびこれに準じたステンレス鋼や、あるいは、インコネル等の金属を用いればよい。
［実施例］
図示しない加熱炉内の搬送方向に沿って設けられた搬送チェーンに前記支持金具を装着し、図２〜図４に示すように、図示しない僅かに傾斜したエアテーブル上で浮上するガラス板１の片側端辺部の所定の複数箇所に支持金具１０を当接させてガラス板１をエアテーブルの上部面形状に沿った僅かに傾斜した姿勢を保持しながら、搬送させる。
【００３３】
前記支持金具１０は、ガラス板１の搬送ラインの片側に沿って搬送方向に平行に設けた搬送チェーン２の外リンク２ａの各リンク軸部２ｃに設けた延長ピン３に、前記支持金具１０をワンタッチで着脱自在に連結固定できるようにしたものである。
【００３４】
前記搬送される各ガラス板１は、ガラス板１を一定の姿勢で搬送するために図７に示した従来の支持金具の配置と同様に、複数個の支持金具１０、１０、・・を当接させる必要があるが、ガラス板１の形状によっては、ガラス板１の搬送チェーン２側の一辺だけでなく、ガラス板１の搬送用のプッシャーとしても機能する支持金具１０をガラス板１の搬送チェーン２の上流側及び下流側の一辺にも当接するように設ける必要がある。
【００３５】
前記支持金具１０の搬送チェーン２への連結固定は、生産品種変更時に行ない、前記搬送チェーン２の外リンク２ａの各リンク軸部２ｃに設けた延長ピン３の所望の延長ピン３に支持金具１０のコ字状の係止部材の割ピンとを嵌合させて行なう。
【００３６】
前記支持金具１０の断面コ字状の係止部材１１と、延長ピン３の凹溝部との嵌合は、断面コ字状の係止部材１１の断面中心を横切るように設けた割ピン１２が延長ピン３の先端に設けた凹溝部内に挿入して嵌合するように行なう。
【００３７】
支持金具１０を搬送チェーン２から取り外す時は、前記延長ピン３の凹溝部３ａ内に食い込んでいる抜止バネ７を凹溝部３ａ内のスリット内に押し込んで、凹溝部の開口部を押し広げることによって、抜止バネ７によるロックを解除し、支持金具１０を搬送チェーン２の延長ピン３から取り外す。
【００３８】
このように、支持金具１０の断面コ字状の係止部材１１と搬送チェーン２の延長ピン３とを係止させて、凹溝部３ａと割りピン１２とを嵌合させるだけのワンタッチ操作で支持金具１０の搬送チェーン２への取付が可能である。
【００３９】
また、図２〜図４に示したように、支持金具１０を搬送チェーンの延長ピン３より取り外す場合には、支持金具１０を延長ピンから引き離すように引っ張るだけで、支持金具に設けた割ピンが延長ピン３の先端の凹溝部を塞ぐように設けた抜け止バネ７を押し広げて、支持金具１０を搬送チェーンの延長ピン３から容易に取り外すことができる。
【００４０】
尚、図７に示すような自動車用の側部窓ガラスについては、ガラス板の昇降用のホルダーの取付部を設ける為に、ガラス板の形状が異形状となり、エアテーブル上でのガラス板の位置によっては支持金具の大きさ、形状等もそれに合わせた形状のものを選択する必要がある。
【００４１】
加熱曲げ炉内で製造するガラス板の品種変更時の段取り作業は、予め準備された複数種類の支持金具を前記搬送チェーンの所定位置の延長ピン３にワンタッチで効率良く短時間に着脱することができる。
【００４２】
さらに、支持金具１０の延長ピンへの着脱方法が簡便であるため、ロボット等による支持金具の自動着脱の自動化への対応が容易となる。
【図面の簡単な説明】
【００４３】
【図１】本発明の支持金具の着脱構造を示す斜視図。
【図２】本発明の支持金具を搬送チェーンの延長ピンに取付ける状態を示す平面図。
【図３】本発明の支持金具を搬送チェーンの延長ピンに取付ける状態を示す側面図。
【図４】本発明の支持金具を搬送チェーンの延長ピンに取付けた状態を示す正面図。
【図５】本発明の支持金具と延長ピンとの連結直前の状態を説明する側断面図。
【図６】本発明の支持金具と延長ピンとの連結直後の状態を説明する側断面図。
【図７】従来の搬送チェーンに取り付けた支持金具によってガラス板の搬送を説明する斜視図。
【符号の説明】
【００４４】
１            ガラス板
２            搬送チェーン
２ａ          外リンク
２ｂ          内リンク
２ｃ          リンク軸部
３            延長ピン
３ａ          凹溝部
４            スリット
７            抜け止バネ
８            バネ固定ピン
１０            支持金具
１１            係止部材
１２            割ピン
１３            開口穴
１４            穿孔部
１５            プレート
【図１】
2007055827.tif 000003
【図２】
2007055827.tif 000004
【図３】
2007055827.tif 000005
【図４】
2007055827.tif 000006
【図５】
2007055827.tif 000007
【図６】
2007055827.tif 000008
【図７】
2007055827.tif 000009